(57)【要約】【課題】女性や子供でも開封しやすく、また、内容物がピーナッツのような粒状物であっても、開封した状態でテーブルにおいても内容物がこぼれ出ない、表フィルムと裏フィルムをヒートシールして形成される包装袋を提供する。【解決手段】表フィルム１ａと裏フィルム１ｂのシール部２を易剥離性素材によって形成し、かつ表フィルム１ａと裏フィルム１ｂのシール部２の少なくとも一箇所に、部分的に側縁から袋内部に向かって袋内部に到達しない未シール部を形成し、この未シール部に側縁から袋内部に向かって２条の切り目５ａ、５ｂを形成し、この２条の切り目５ａ、５ｂの間の表フィルムと裏フィルムを摘み片６にし、摘み片６の一方を摘んで引っ張ることにより、シール部２の袋内部側に残った部分を引き剥がし、表フィルム１ａと裏フィルム１ｂの一方のみを引き裂き可能にした。【選択図】図３
2007176567.tif 000002
【特許請求の範囲】
【請求項１】
表フィルムと裏フィルムをヒートシールして形成される包装袋において、表フィルムと裏フィルムのシール部を易剥離性素材によって形成し、かつ表フィルムと裏フィルムのシール部の少なくとも一箇所に、部分的に側縁から袋内部に向かって袋内部に到達しない未シール部を形成し、この未シール部に側縁から袋内部に向かって２条の切り目を形成し、この２条の切り目の間の表フィルムと裏フィルムを摘み片にしたことを特徴とする包装袋。
【請求項２】
底部を表フィルムと裏フィルムの折り返しによって形成した請求項１に記載の包装袋。
【請求項３】
底部の折り返しがガゼット折りである請求項２に記載の包装袋。
【請求項４】
上記表フィルムと裏フィルムが、互いに離れる方向に反る性質が付与されたフィルムである請求項１〜３のいずれかに記載の包装袋。
【請求項５】
上記表フィルムと裏フィルムが、開封方向に引き裂き易い方向性フィルムである請求項１〜４のいずれかに記載の包装袋。
【発明の詳細な説明】
【技術分野】
【０００１】
この発明は、表フィルムと裏フィルムをヒートシールして形成される包装袋に関するものである。
【背景技術】
【０００２】
この種の包装袋は、袋口をヒートシールによって密封することができるため、各種食品や日用生活用品などの包装に広く利用されている。
ところで、両側辺にシール部を有し、上辺に袋口を形成した包装袋は、その形態から三方袋と呼ばれ、内容物を袋口から収容した後、袋口をヒートシールによって封印するようにして使用されている。
【０００３】
このような包装袋において、表フィルムと裏フィルムのシール部を易剥離性素材によって形成し、シール部の表フィルムと裏フィルムを反対方向に引っ張ってシール部を剥がして開封できるようにしたものがある。
【０００４】
また、包装袋の側辺に、ノッチと呼ばれる切り込みを入れ、このノッチ部分から表フィルムと裏フィルムの両方を引き裂いて開封するようにしたものもある。
【発明の開示】
【発明が解決しようとする課題】
【０００５】
ところが、シール部を易剥離性素材によって形成し、シール部を引き剥がして開封できるようにした包装袋は、シール部が易剥離性といってもやはり力を入れてシール部を引き剥がす必要があり、女性や子供などの場合には、開封し難く、開封の際に、勢い余って内容物が飛び出したり、特に、スポンジケーキやゼリーのような軟らかい内容物の場合、型崩れさせたり、傷つけたりするおそれがある。
【０００６】
一方、包装袋の側辺にノッチと呼ばれる切り込みを入れ、このノッチ部分から表フィルムと裏フィルムの両方を引き裂くようにした包装袋は、内容物としてピーナッツのような粒状体が詰め込まれているような場合には、ノッチ部分から上方部分を引き裂いて取り除くと包装袋の収納容積が小さくなるので、テーブルに横向きにおくと、開封した袋口から内容物がこぼれ出るおそれがあり、開封後、内容物が減るまでは、袋口を上にして内容物がこぼれないように持っていなければならない。
【０００７】
また、ノッチ部分から表フィルムと裏フィルムの両方を引き裂いてしまうと、例えば、裏フィルムに商品説明などを印刷してあるような場合には、上方の説明部分も切り取られてしまうので、説明部分が見づらくなるという問題もある。
そこで、この発明は、女性や子供でも開封しやすく、また、内容物がピーナッツのような粒状物であっても、開封した状態でテーブルにおいても内容物がこぼれ出ない包装袋を提供しようとするものである。
【課題を解決するための手段】
【０００８】
この発明は、上記の課題を解決するために、表フィルムと裏フィルムをヒートシールして形成される包装袋において、表フィルムと裏フィルムのシール部を易剥離性素材によって形成し、かつ表フィルムと裏フィルムのシール部の少なくとも一箇所に、部分的に側縁から袋内部に向かって袋内部に到達しない未シール部を形成し、この未シール部に側縁から袋内部に向かって２条の切り目を形成し、この２条の切り目の間の表フィルムと裏フィルムを摘み片にしたのである。
【０００９】
このような構造の包装用袋においては、表フィルムと裏フィルムの未シール部に形成される摘み片の一方を摘んで引っ張って、未シール部の袋内部側に残ったシール部のみを引き剥がすことにより、開封が可能であるから、開封に余り力を要しない。
【００１０】
また、表フィルムと裏フィルムに形成される摘み片の一方を摘んで引っ張ることにより、表フィルムと裏フィルムの一方だけを引き裂くことができるので、例えば、表フィルムだけを引き裂いて開封すれば、裏フィルムの印刷が切り取られることもない。
【００１１】
この発明の包装袋としては、底部を表フィルムと裏フィルムの折り返しによって形成し、両側辺にシール部を形成し、上辺に袋口を形成した三方袋の形態がある。
また、底部の折り返しは、ガゼット折りにしてもよい。
【００１２】
この発明の包装袋を形成する表フィルムと裏フィルムとして、互いに離れる方向に反る性質が付与されたフィルムを使用すると、摘み片が互いに離れて摘み易くなる。
【００１３】
また、表フィルムと裏フィルムとして、開封方向に引き裂き易い方向性フィルムを使用すると、摘み片を持って引き裂く際に、切断片が途中で千切れ難く、開封し易い。ここで、開封方向に引き裂き易い方向性フィルムとは、主に一軸延伸フィルムのことであり、例えば、ユニチカ株式会社製のエンブレットＰＣ（商品名）やエンブレットＮＣ（商品名）、東レ株式会社製のトレファンＢＯＹＹ２２（商品名）、東洋化学株式会社製のカラリヤンＹ（商品名）などをいう。
【発明の効果】
【００１４】
上記のように、この発明の包装袋は、余り力を入れなくてもシール部を引き剥がして容易に開封することができ、しかも、表フィルムと裏フィルムの一方を引き裂くことなく、一方だけを引き裂いて開封することができる。
【発明を実施するための最良の形態】
【００１５】
図１に示すこの発明の包装袋は、三方袋と呼ばれる形態の包装袋であり、表フィルム１ａと裏フィルム１ｂの両側辺にヒートシールによって形成されるシール部２を有し、上辺が開口する袋口３に形成されている。
【００１６】
この包装袋の底部４は、表フィルム１ａと裏フィルム１ｂの折り返しによって形成している。
上記シール部２は、易剥離性を有する素材によって形成されている。
ここで、易剥離性とは、ヒートシールによって密封することができ、開封時は接合された面々同士を容易に剥がすことができる性質のことであり、例えば、易剥離性のフィルムには、ジェイフィルム株式会社製のＶＭＸフィルム（商品名）やＩＭＸフィルム（商品名）がある。
この易剥離性を付与する手段としては、接合された面々同士が、界面剥離、層間剥離あるいは凝集剥離を起こす方法のいずれの方法を採用してもよい。
例えば、表フィルム１ａと裏フィルム１ｂとして、基材フィルムの最内層にシーラント層を設けた積層フィルムで、最内層のシーラント層が、低密度ポリエチレン（ＬＤＰＥ）、直鎖状低密度ポリエチレン（Ｌ・ＬＤＰＥ）などの易剥離性フィルムで構成されたものを使用することができる。シーラント層の積層は、上記の樹脂をフィルム状に製膜し、ドライラミネーション法または押し出しラミネーション法で積層してもよく、また、上記の樹脂を押し出しコートして積層することもできる。
【００１７】
この発明の包装袋は、表フィルム１ａと裏フィルム１ｂのシール部２の少なくとも一箇所に、部分的に側縁から袋内部に向かって袋内部に到達しない未シール部を形成し、この未シール部に側縁から袋内部に向かって２条の切り目５ａ、５ｂを形成し、この２条の切り目５ａ、５ｂの間の表フィルム１ａと裏フィルム１ｂを摘み片６にしている。
【００１８】
図１の包装袋では、上記摘み片６を、両側辺のシール部２の両方に形成しているが、片方のシール部２だけに形成してもよい。また、図１の包装袋では、摘み片６を包装袋の高さのほぼ中間に設けているが、袋口３、あるいは底部４に寄った位置に設けてもよい。
【００１９】
この発明の包装袋は、表フィルム１ａと裏フィルム１ｂの未シール部に形成される摘み片６の一方を摘んで引っ張って、未シール部の袋内部側に残ったシール部２のみを引き剥がすことにより、開封が可能であるから、開封に余り力を要しない。
【００２０】
上記摘み片６を摘んで、表フィルム１ａと裏フィルム１ｂを引き裂く際に、引き裂き片が途中で千切れないようにするために、表フィルム１ａと裏フィルム１ｂを形成する基材フィルムは、開封方向に引き裂き性の良い方向性フィルムを使用することが好ましい。
【００２１】
上記摘み片６を形成した表フィルム１ａと裏フィルム１ｂが互いに密着していると、摘み片６が摘み難い。このため、上記表フィルム１ａと裏フィルム１ｂとして、互いに離れる方向に反る性質が付与されたフィルムを使用することにより、図２に示すように、摘み片６が離れるので、摘み片６が摘み易くなる。
上記表フィルム１ａと裏フィルム１ｂに互いに離れる方向に反る性質を付与する方法としては、例えば、表フィルム１ａと裏フィルム１ｂを製造する際に、内面側を外面側よりも強く冷却することにより、互いに離れる方向に反る性質を付与することができる。
【００２２】
この発明の包装袋は、袋口３から商品である内容物Ａを収納し、図３（ａ）に示すように、袋口３をヒートシールにより封印することができる。符号７は、袋口３のシール部を示している。
そして、袋口３を閉じた包装袋は、図３（ｂ）に示すように、表フィルム１ａまたは裏フィルム１ｂに形成された摘み片６を摘んで引っ張り、摘み片６を構成する未シール部の袋内部側に残ったシール部２を引き剥がし、そのまま、図３（ｃ）に示すように、摘み片６と共に、表フィルム１ａまたは裏フィルム１ｂの一方を引き裂くことにより、容易に開封することができる。
【００２３】
このように、この発明の包装袋は、表フィルム１ａまたは裏フィルム１ｂの一方のみを引き裂いて開封できるので、ピーナッツのようなこぼれ出し易い内容物であっても、図３（ｃ）に示すように、引き裂き面を上にしてそのままテーブルに置くことができ、下面の表フィルム１ａまたは裏フィルム１ｂがお皿のような役割を果すので、衛生的で使用勝手が良い。
【００２４】
また、摘み片６による引き裂きを好みの所で止めることにより、内容物がこぼれないようにすることもできる。
【００２５】
摘み片６による引き裂きを反対側のシール部２で止めることにより、摘み片６が内容物に混じらないので、異物混入の確認管理が容易である。
【００２６】
図４は、底部４をガゼット折りの折り返しによって形成したこの発明の他の実施形態である。  
【図面の簡単な説明】
【００２７】
【図１】この発明に係る包装袋の一実施形態であり、（ａ）は正面図、（ｂ）は（ａ）のｂ−ｂ線の断面図、（ｃ）は（ａ）のｃ−ｃ線の断面図である。
【図２】摘み片の部分を拡大した斜視図である。
【図３】（ａ）は商品である内容物を収納して袋口をヒートシールした状態を示す斜視図、（ｂ）は摘み片を引っ張って表フィルムを引き裂く途中の状態を示す斜視図、（ｃ）は表フィルムを引き裂いて開封した状態を示す斜視図である。
【図４】この発明に係る包装袋の他の一実施形態であり、（ａ）は正面図、（ｂ）は（ａ）のｂ−ｂ線の断面図である。
【符号の説明】
【００２８】
１ａ  表フィルム
１ｂ  裏フィルム
２  シール部
３  袋口
４  底部
５ａ、５ｂ  切り目
６  摘み片
７  シール部
Ａ  内容物
【図１】
2007176567.tif 000003
【図２】
2007176567.tif 000004
【図３】
2007176567.tif 000005
【図４】
2007176567.tif 000006